(57)【要約】【課題】集塵ボックスの内容量を有効に利用できる電気掃除機を提供する。【解決手段】前部に設けた吸入口２の後に、集塵ボックス８を収納する集塵ボックス収納部３と、電動送風機（図示せず）を順に配し、集塵ボックス８は、吸入口２と連通する連通穴９と、塵埃を捕獲する粗塵フィルター１１を有する蓋体Ａ１２と、連通穴９より粗塵フィルター１１側に向かって延出された円筒部３１の外周軸方向に沿って移動自在の筒体３２Ａと、筒体３２Ａを粗塵フィルター１１側に付勢するばね体３２Ｄと、吸引風を受けた時にばね体３２Ｄの付勢力に抗して筒体３２Ａを後退させる移動板３２Ｂを備えたもので、吸引力が弱い時でも、筒体３２Ａが粗塵フィルター１１側に移動して両者間の隙間が小さくなって吸引風の流速が早められるので、粗塵フィルター１１に付着した塵埃を確実に吹き飛ばし、粗塵フィルター１１の良好な通気性を長く維持することができる。【選択図】図２
2008253432.tif 000002
【特許請求の範囲】
【請求項１】
掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴を有する本体部と、吸引された空気中の塵埃を捕獲するフィルターを有する蓋体と、前記連通穴より前記フィルター側に向かって延出された円筒部と、前記円筒部の外周軸方向に沿って移動自在の筒体と、前記筒体を前記フィルター側に付勢するばね体と、吸引風を受けると共にその吸引風を受けたときに前記ばね体の付勢力に抗して前記筒体を後退させる移動板を備えた電気掃除機。
【請求項２】
筒体の先端を複数の延出部で構成したことを特徴とする請求項１に記載の電気掃除機。
【請求項３】
延出部を連通穴の内側に傾斜させて設けたことを特徴とする請求項１または２に記載の電気掃除機。
【請求項４】
掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴を有する本体部と、吸引された空気中の塵埃を捕獲するフィルターを有する蓋体と、前記連通穴より前記フィルター側に向かって延出された円筒部と、前記円筒部の先端に回動自在に設けられた複数の延出部と、前記延出部のそれぞれを内側に傾斜するように付勢するばね体を有することを特徴とする電気掃除機。
【請求項５】
掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴を有する本体部と、吸引された空気中の塵埃を捕獲するフィルターを有する蓋体と、前記連通穴より前記フィルター側に向かって延出された円筒部と、前記円筒部の先端に、かつ内方に傾斜させて設けた複数の延出部とを備え、前記延出部を軟質体で形成したことを特徴とする電気掃除機。
【請求項６】
フィルターを、薄板状で上流側に配されると共に粗塵を捕獲する粗塵フィルターと、下流側に配され細塵を捕獲する細塵フィルターとで構成した請求項１〜５のいずれか１項に記載の電気掃除機。
【発明の詳細な説明】
【技術分野】
【０００１】
本発明は、電気掃除機に関し、特に電気掃除機の集塵ボックスに関するものである。
【背景技術】
【０００２】
従来の電気掃除機の集塵方法として、使い捨ての紙パックを利用するものと、再利用可能な集塵ボックスを利用するものがあるが、近年、経済的な集塵ボックスを利用した電気掃除機が増えている。中でも、簡単な構造の集塵ボックスとして、本体部とフィルターを有する蓋部とからなるものがある（例えば、特許文献１参照）。
【特許文献１】特開２００５−２３７８６０号公報
【発明の開示】
【発明が解決しようとする課題】
【０００３】
しかしながら、前記特許文献１に開示された従来の電気掃除機の集塵ボックスの構成では、集塵ボックスの後面全体を覆うようにフィルターを構成することで塵埃が付着することによる目詰まりを防止しようとしているが、実際には、集塵ボックスの前面に設けた連通穴から吸引された空気は、フィルターに直接当たりそのままフィルターの表面に堆積していくので、ある程度の集塵量で目詰まりを起こしてしまう、という問題があった。
【０００４】
その対策として、フィルターを上下に設けてフィルターの面積を大きくすることで目詰まりを防止し、より集塵量を大きくする方法が提案されているが、このような構成をとると集塵ボックスが大きくなり、それを収納する電気掃除機本体も大型化するという課題があった。
【０００５】
本発明は、前記従来の課題を解決するもので、集塵ボックスを大きくすることなく、フィルターの目詰まりを防止し、集塵ボックスの内容量を有効に利用することができると共に、従来と同等の集塵量を確保しつつ集塵ボックスの小型化を可能とし、小型の電気掃除機を提供することを目的とする。
【課題を解決するための手段】
【０００６】
前記従来の課題を解決するために、本発明の電気掃除機は、掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴を有する本体部と、吸引された空気中の塵埃を捕獲するフィルターを有する蓋体と、前記連通穴より前記フィルター側に向かって延出された円筒部と、前記円筒部の外周軸方向に沿って移動自在の筒体と、前記筒体を前記フィルター側に付勢するばね体と、吸引風を受けると共にその吸引風を受けたときに前記ばね体の付勢力に抗して前記筒体を後退させる移動板を備えたもので、連通穴から吸引された吸引風が、筒体とフィルターとの間から分散して広がるために、筒体が無い場合と比べ流速が増して、フィルターに付着した塵埃を効果的に吹き飛ばすことができる。また電動送風機の吸引力制御を行う電気掃除機にあっては、吸引力が弱い時は、筒体は、ばね体の付勢力によりフィルター側に移動するため、空気通路が狭まり流速が早くなり、電動送風機の吸引力が弱い状態でも、フィルターに付着した塵埃を効果的に吹き飛ばすことができる。従って、電動送風機の吸引力が強い、弱いにかかわらず目詰まりがし難くなり、フィルターの通気性を従来より長く維持することができ、集塵ボックスの内容量を有効に利用できるようになり、集塵ボックスの小型化、ひいては、電気掃除機の小型化が可能となる。
【０００７】
また、本発明の電気掃除機は、掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴を有する本体部と、吸引された空気中の塵埃を捕獲するフィルターを有する蓋体と、前記連通穴より前記フィルター側に向かって延出された円筒部と、前記円筒部の先端に回動自在に設けられた複数の延出部と、前記延出部のそれぞれを内側に傾斜するように付勢するばね体を有するもので、連通穴から吸引された吸引風は、延出部間の隙間から分散して広がるため、延出部が無い場合と比べ流速が増し、フィルターに付着した塵埃を効果的に吹き飛ばすことができる。また電動送風機の吸引力制御を行うものにあっては、吸引力が弱い時は、複数の延出部が連通穴の内側方向すなわち連通穴を絞った状態となるため、空気通路が狭まり流速が早くなり、電動送風機の吸引力が弱い状態でも流速が増し、フィルターに付着した塵埃を確実に吹き飛ばすことができる。従って、電動送風機の吸引力が強い、弱いにかかわらず目詰まりがし難くなり、フィルターの通気性を従来より長く維持することができ、集塵ボックスの内容量を有効に利用できるようになり、集塵ボックスの小型化、ひいては、電気掃除機本体の小型化が可能となる。
【０００８】
また、本発明の電気掃除機は、掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴を有する本体部と、吸引された空気中の塵埃を捕獲するフィルターを有する蓋体と、前記連通穴より前記フィルター側に向かって延出された円筒部と、前記円筒部の先端に、かつ内方に傾斜させて設けた複数の延出部とを備え、前記延出部を軟質体で形成したもので、連通穴から吸引された吸引風は、延出部間の隙間から分散して広がるため、延出部が無い場合と比べ流速が増し、フィルターに付着した塵埃を効果的に吹き飛ばすことができる。また電動送風機の吸引力制御を行うものにあっては、吸引力が強いときは、延出部が、軟質体の弾性力に抗して広げられるので、多量の空気でフィルターに付着した塵埃を確実に吹き飛ばすことができる。また、吸引力が弱い時は、複数の延出部が、弾性力で連通穴の内側方向すなわち連通穴を絞る状態となるため、空気通路が狭まり流速が早くなり、電動送風機の吸引力が弱い状態でも流速が増し、フィルターに付着した塵埃を確実に吹き飛ばすことができる。従って、電動送風機の吸引力が強い、弱いにかかわらず目詰まりがし難くなり、フィルターの通気性を従来より長く維持することができ、集塵ボックスの内容量を有効に利用できるようになり、集塵ボックスの小型化、ひいては、電気掃除機本体の小型化が可能となる。また、延出部を軟質体で形成して、その弾性によりばね体と同様の動作をさせるようにしたので、構成、組立ての簡略化が行え、安価な電気掃除機を提供できる。
【発明の効果】
【０００９】
本発明の電気掃除機は、電動送風機の吸引力の強弱にかかわらず吸引風を利用してフィルター表面に付着した塵埃を吹き飛ばすことで目詰まりを起こし難くし、フィルターの通気性を長時間維持することが可能となるので、集塵ボックスの内容量を有効に利用できる電気掃除機を提供できる。
【発明を実施するための最良の形態】
【００１０】
第１の発明は、掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴を有する本体部と、吸引された空気中の塵埃を捕獲するフィルターを有する蓋体と、前記連通穴より前記フィルター側に向かって延出された円筒部と、前記円筒部の外周軸方向に沿って移動自在の筒体と、前記筒体を前記フィルター側に付勢するばね体と、吸引風を受けると共にその吸引風を受けたときに前記ばね体の付勢力に抗して前記筒体を後退させる移動板を備えたもので、連通穴から吸引された吸引風が、筒体とフィルターとの間から分散して広がるために、筒体が無い場合と比べ流速が増して、フィルターに付着した塵埃を効果的に吹き飛ばすことができる。また電動送風機の吸引力制御を行う電気掃除機にあっては、吸引力が弱い時は、筒体は、ばね体の付勢力によりフィルター側に移動するため、空気通路が狭まり流速が早くなり、電動送風機の吸引力が弱い状態でも、フィルターに付着した塵埃を効果的に吹き飛ばすことができる。従って、電動送風機の吸引力が強い、弱いにかかわらず目詰まりがし難くなり、フィルターの通気性を従来より長く維持することができ、集塵ボックスの内容量を有効に利用できるようになり、集塵ボックスの小型化、ひいては、電気掃除機の小型化が可能となる。
【００１１】
第２の発明は、特に、第１の発明の筒体の先端を複数の延出部で構成したもので、電動送風機の吸引力の強弱にかかわらずフィルターに付着した塵埃を吹き飛ばすことができ、かつ隣り合う延出部間に隙間があるため、多きなごみが筒体内にひっかかることなく吸引することが可能となる。
【００１２】
第３の発明は、特に、第１または第２の発明の延出部を連通穴の内側に傾斜させて設けたもので、傾斜した延出部により、吸引風が絞られるので吸引風が乱流となり、フィルターに付着した塵埃をより吹きとばしやすくなる。
【００１３】
第４の発明は、掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴を有する本体部と、吸引された空気中の塵埃を捕獲するフィルターを有する蓋体と、前記連通穴より前記フィルター側に向かって延出された円筒部と、前記円筒部の先端に回動自在に設けられた複数の延出部と、前記延出部のそれぞれを内側に傾斜するように付勢するばね体を有するもので、連通穴から吸引された吸引風は、延出部間の隙間から分散して広がるため、延出部が無い場合と比べ流速が増し、フィルターに付着した塵埃を効果的に吹き飛ばすことができる。また電動送風機の吸引力制御を行うものにあっては、吸引力が弱い時は、複数の延出部が連通穴の内側方向すなわち連通穴を絞った状態となるため、空気通路が狭まり流速が早くなり、電動送風機の吸引力が弱い状態でも流速が増し、フィルターに付着した塵埃を確実に吹き飛ばすことができる。従って、電動送風機の吸引力が強い、弱いにかかわらず目詰まりがし難くなり、フィルターの通気性を従来より長く維持することができ、集塵ボックスの内容量を有効に利用できるようになり、集塵ボックスの小型化、ひいては、電気掃除機本体の小型化が可能となる。
【００１４】
第５の発明は、掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴を有する本体部と、吸引された空気中の塵埃を捕獲するフィルターを有する蓋体と、前記連通穴より前記フィルター側に向かって延出された円筒部と、前記円筒部の先端に、かつ内方に傾斜させて設けた複数の延出部とを備え、前記延出部を軟質体で形成したもので、連通穴から吸引された吸引風は、延出部間の隙間から分散して広がるため、延出部が無い場合と比べ流速が増し、フィルターに付着した塵埃を効果的に吹き飛ばすことができる。また電動送風機の吸引力制御を行うものにあっては、吸引力が強いときは、延出部が、軟質体の弾性力に抗して広げられるので、多量の空気でフィルターに付着した塵埃を確実に吹き飛ばすことができる。また、吸引力が弱い時は、複数の延出部が、弾性力で連通穴の内側方向すなわち連通穴を絞る状態となるため、空気通路が狭まり流速が早くなり、電動送風機の吸引力が弱い状態でも流速が増し、フィルターに付着した塵埃を確実に吹き飛ばすことができる。従って、電動送風機の吸引力が強い、弱いにかかわらず目詰まりがし難くなり、フィルターの通気性を従来より長く維持することができ、集塵ボックスの内容量を有効に利用できるようになり、集塵ボックスの小型化、ひいては、電気掃除機本体の小型化が可能となる。また、延出部を軟質体で形成して、その弾性によりばね体と同様の動作をさせるようにしたので、構成、組立ての簡略化が行え、安価な電気掃除機を提供できる。
【００１５】
第６の発明は、特に、第１〜５のいずれか１項に記載のフィルターを、薄板状で上流側に配されると共に粗塵を捕獲する粗塵フィルターと、下流側に配され細塵を捕獲する細塵フィルターとで構成したもので、上流側の粗塵フィルターを薄板状の平面とすることで、表面に付着した塵埃が吹き飛ばされやすくなる。
【００１６】
以下、本発明の実施の形態について、図面を参照しながら説明する。なお、この実施の形態によって本発明が限定されるものではない。
【００１７】
（実施の形態１）
本発明の第１の実施の形態における電気掃除機について、図１〜図４を用いて説明する。図１は、本実施の形態における電気掃除機の斜視図、図２は、同電気掃除機の掃除機本体の要部断面図、図３は、同電気掃除機の集塵ボックスの外観斜視図、図４は、同電気掃除機の要部断面図である。
【００１８】
図１〜４において、電気掃除機１０１は、掃除機本体１と、掃除機本体１の前方に設けた吸入口２に接続されるホース１０３と、ホース１０３の先端に設けられた接続パイプ１０４と、接続パイプ１０４に接続される延長管１０５と、延長管１０５の先端に設けられ塵埃を吸引する開口部（図示せず）を有する吸込具１０６からなり、掃除機本体１には、塵埃を吸引するための電動送風機１０７と、塵埃を集塵する集塵ボックス８が内蔵されている。
【００１９】
図に示すように、掃除機本体１は、前部に吸入口２を有する集塵ボックス収納部３を、後方に電動送風機１０７を有する電動送風機室（図示しない）をそれぞれ具備し、吸入口２には、掃除機本体１とホース１０３のエアータイト用のパッキンＡ４を具備している。また、集塵ボックス収納部３の上方は開放状態となっており、開放部上端全周にパッキンＢ５を有している。６は、掃除機本体１に、その後方部を支点として回動自在に設けた集塵ボックス収納部蓋体で、集塵ボックス収納部３の上方開口部を覆うものである。この集塵ボックス収納部蓋体６は、パッキンＢ５と平面が略同形状で集塵ボックス収納部蓋体６が閉状態となった時パッキンＢ５と圧接しエアータイトを行うタイトリブ７を有している。集塵ボックス収納部３内には、集塵ボックス８が着脱自在に収納されている。
【００２０】
集塵ボックス８は、前方に連通穴９が設けられ、後方が開口した本体部１０と、本体部１０の後方の開口部を覆うように、メッシュもしくは多孔質に形成された薄板状の粗塵フィルター１１を形成した蓋体Ａ１２と、その下流にプリーツ加工された細塵フィルター１３を形成する蓋体Ｂ１４が後述のヒンジを介して回動自在に本体部１０に保持されている。また、細塵フィルター１３に付着した細塵を掃除するためのブラシ１０８が本体部１０に設けた収納部１０９に着脱自在に備えられている。
【００２１】
また、集塵ボックス８の連通穴９には、内方に向けて円筒部３１が導出され、円筒部３１の外周に、筒体３２Ａが、円筒部３１に設けた爪３１Ａにより抜け留めされて、円筒部３１の軸方向に移動可能に固定されている。
【００２２】
３２Ｂは、円筒部３１の内周側の略中央部に位置すると共に、回動可能なアーム３２Ｃを介して筒体３２Ａと連結された移動板である。
【００２３】
筒体３２Ａと移動板３２Ｂとは、電動送風機１０７の吸引が無風状態で筒体３２Ａが粗塵フィルター１１側に移動するようにばね体３２Ｄにより附勢されたものである。
【００２４】
さらに筒体３２Ａの先端には、延出された舌片状の延出部３２が複数備えられている。
【００２５】
一方、蓋体Ａ１２に設けられた粗塵フィルター１１の上流側には、閉めた時に連通穴９と対向する位置に凸状部３４が設けられている。この凸状部３４は、連通穴９からの吸引風を分散させるために連通穴９とほぼ同じ径を有する円形状の風受け部３３とこの風受け部３３から断面が末広がり状に突出した上下に伸びた縦長リブ３５から構成されている。
【００２６】
また、蓋体Ａ１２の回動軸部１２ａと蓋体Ｂ１４の回動軸部１４ａは、本体部１０の軸部１５に同心軸にて係止されている。さらに、蓋体Ａ１２、蓋体Ｂ１４は係止部１６に本体部１０の爪１７が引っ掛ることで、本体部１０に固定され使用時の形態となる。
【００２７】
このとき、蓋体Ａ１２の外周前後に形成されたタイトパッキンＡ１８により、本体部１０と蓋体Ｂ１４とがエアータイトされる構成となっている。集塵ボックス８と集塵ボックス収納部３とのエアータイトは、前方をパッキンＡ４と本体部１０、後方を蓋体Ｂ１４と集塵ボックス収納部３の壁に形成されたタイトパッキンＢ１９によりタイトされたものである。なお、タイトパッキンＡ１８と、タイトパッキンＢ１９、パッキンＡ４はタイト構成として使用される部品でありそれぞれのパッキンが当接するいずれかの部品に構成されてもタイト構成できる。
【００２８】
以上のように構成された電気掃除機について、以下その動作、作用を説明する。
【００２９】
図２、４に示すように、電動送風機１０７の吸引風により、塵埃は、吸入口２、連通穴９を通過し集塵ボックス８の本体部１０に到達する。その後、蓋体Ａ１２に形成されたメッシュもしくは多孔質に形成された粗塵フィルター１１により、塵埃の粗塵２３が捕集される。メッシュもしくは多孔質に形成された粗塵フィルター１１を、細塵を含む空気が通過し、次に、蓋体Ｂ１４のプリーツ加工された細塵フィルター１３により細塵２４が捕集され、空気のみが、電動送風機１０７を収納する電動送風機室（図示せず）を経て掃除機本体１外に排出される。
【００３０】
このような集塵の過程において、連通穴９より吸引された吸引風は、真っ直ぐに直進して凸状部３４に衝突して分散する第１の気流と、延出部３２間の隙間３６から拡散される第２の気流とに分かれる。そして、この２つの気流により、粗塵フィルター１１の表面に付着した粗塵は吹き飛ばされることになる。特に、延出部３２を設け、その間の隙間３６から吹き出すことになるため流速が増し、更に、連通穴９の周方向に拡散する方向に流れる為に、粗塵をより効果的に吹き飛ばす事ができる。延出部３２の隙間３６は、流速を増す他に大きな塵埃を吸い込まれた際の詰り防止をする事ができる。
【００３１】
さらに、本実施の形態における電気掃除機は、使用者が吸引力を、例えば「強」、「中」、「弱」のように自由に選択できるように構成されている。この吸引力の違いは、先ほど述べた延出部３２を吸引風が通過する際の流速に影響するもので、「強」は、吸引力が強く流速が早いために、粗塵フィルター１１の表面に付着した粗塵を吹き飛ばす効果が高い。逆に「弱」では、吸引力が弱く流速が遅くなり粗塵フィルター１１の表面に付着した粗塵を吹き飛ばす効果が小さくなるが、筒体３２Ａを移動可能にし、移動板３２Ｂとアーム３２Ｃで連結することで、吸引力が強い時は、移動板３２Ｂに強い風が当たり筒体３２Ａを粗塵フィルター１１との隙間が大きくなる側に移動し、逆に吸引風が弱い時は、移動板３２Ｂに当たる風が弱くなり、その結果ばね体３２Ｄの付勢力が勝り、筒体３２Ａが、粗塵フィルター１１側に、すなわち粗塵フィルター１１との隙間が小さくなる方向に移動する。
【００３２】
このように、吸引風の強弱で風が流れる通路を調整し常に流速が早い状態を維持することが可能となりどの吸引力の状態においても、粗塵フィルター１１の表面に付着した粗塵を吹き飛ばす効果が高い状態を維持できるものである。
【００３３】
以上の様に、本実施の形態によれば、どの吸引力の状態においても粗塵フィルター１１に付着した塵埃を効率的に吹き飛ばすことができるため、目詰まりがし難くなり、粗塵フィルター１１の通気性を従来より長く維持することができ、粗塵は集塵ボックスの各部位にほぼ均一に堆積していくこととなり、内容量の多くを有効に利用することができる。
【００３４】
（実施の形態２）
図５は、本発明の第２の実施の形態における電気掃除機の要部断面図を示すものである。尚、上記第１の実施の形態における電気掃除機と同一部分については、同一符号を付してその説明を省略する。
【００３５】
本実施の形態は、集塵ボックス８の連通穴９より、粗塵フィルター１１側に向けて円筒部４１を延設し、その円筒部４１の先端に、回動自在の延出部４２を複数設け、延出部４２のそれぞれを、ばね体４２Ａで、連通穴９の内側方向に付勢したもので、他の構成は、上記第１の実施の形態における電気掃除機と同一である。
【００３６】
以上のように構成された本実施の形態における電気掃除機の動作、作用は以下の通りである。
【００３７】
電気掃除機を、「強」で運転したときは、強い風圧により延出部４２が、ばね体４２Ａの付勢力に抗して、外方に回動するが、吸引力が強く流速が早いために、粗塵フィルター１１の表面に付着した粗塵が効率よく吹き飛ばされる。逆に、電気掃除機を、「弱」で運転したときは、延出部４２に加わる風圧が低下し、ばね体４２Ａの付勢力により、延出部４２が内方に回動し、延出部４２の先端から吹き出る空気の流速が増し、粗塵フィルター１１の表面に付着した粗塵が効率よく吹き飛ばされる。
【００３８】
以上のように、本実施の形態によれば、第１の実施の形態の移動板３２Ｂのような構成が連通穴９の略中央付近に不要となり吸引風、塵埃がスムーズに流れるため効率的に塵埃が吸い込めるものである。
【００３９】
また、延出部３２を、ゴムなどの軟質体により形成すると共に、内方に向けて傾斜させて設けることにより、軟質体の弾性によりばね体４２Ａと同様の動作をさせることが可能となり、ばね体４２Ａを廃止し、一層構成、組立ての簡略化を図り、安価な電気掃除機を提供することができる。
【産業上の利用可能性】
【００４０】
以上のように、本発明にかかる電気掃除機は、吸引風の強弱にかかわらず、吸引風によりフィルターに付着した塵埃を効率よく吹き飛ばすことにより、目詰まりがし難く、フィルターの通気性を従来より長く維持することができるもので、特に家庭、業務用等の電気掃除機に有用である。
【図面の簡単な説明】
【００４１】
【図１】本発明の実施の形態１における電気掃除機の斜視図
【図２】同電気掃除機の掃除機本体の要部断面図
【図３】同電気掃除機の集塵ボックスの外観斜視図
【図４】（ａ）同電気掃除機の非動作時の集塵ボックスの要部断面図、（ｂ）同電気掃除機の吸引動作時の集塵ボックスの要部断面図
【図５】本発明の実施の形態２における電気掃除機の要部断面図
【符号の説明】
【００４２】
１      掃除機本体
２      吸入口
３      集塵ボックス収納部
８      集塵ボックス
９      連通穴
１０    本体部
１１    粗塵フィルター（フィルター）
１２    蓋体Ａ（蓋体）
１３    細塵フィルター（フィルター）
１４    蓋体Ｂ（蓋体）
２３    粗塵
２４    細塵
３１    円筒部
３２、４２  延出部
３２Ａ  筒体
３２Ｂ  移動板
３２Ｄ、４２Ａ  ばね体
３３    風受け部
３４    凸状部
３５    縦長リブ
１０３  ホース
１０７  電動送風機
【図１】
2008253432.tif 000003
【図２】
2008253432.tif 000004
【図３】
2008253432.tif 000005
【図４】
2008253432.tif 000006
【図５】
2008253432.tif 000007